(57)【要約】【課題】アキュムレート機構の設置スペースを最大限に活用して、ウェブのアキュムレート可能長さを増大することである。【解決手段】アキュムレート機構７における移動ロール６を取り付けた往復移動ユニット１５を、一対のスプロケット１６間に張り渡したチェーン１７のループの外側に取り付けることにより、往復移動ユニット１５の移動可能範囲を一対のスプロケット１６間に制約されることなく拡大できるようにし、アキュムレート機構７の設置スペースを最大限に活用して、ウェブのアキュムレート可能長さを増大できるようにした。【選択図】  図２
2004175559.tif 000002
【特許請求の範囲】
【請求項１】
ウェブの送り出し速度を減速させ、一方の巻き出し軸のウェブに他方の巻き出し軸のウェブを継ぐスプライス機構と、スプライス機構から送り出されるウェブを、固定ロールと移動ロール間に複数条に巻き掛けてアキュムレートし、一対の回転体間にループ状に張り渡された索条体に取り付けられ、前記固定ロールに向けて直線往復駆動される往復移動ユニットに前記移動ロールを取り付け、前記ウェブのアキュムレート長さを調節するアキュムレート機構とを備え、前記ウェブをラインに供給するウェブ継ぎ装置において、前記往復移動ユニットを前記索条体のループの外側に取り付けたことを特徴とするウェブ継ぎ装置。
【発明の詳細な説明】
【０００１】
【発明の属する技術分野】
この発明は、スプライス機構とアキュムレート機構を備えたウェブ継ぎ装置に関するものである。
【０００２】
【従来の技術】
スプライス機構とアキュムレート機構とを備え、一方の巻き出し軸の先行ウェブの後端に他方の巻き出し軸の後続ウェブの先端を継ぎ、ライン速度に同期させてウェブをラインに供給するウェブ継ぎ装置では、スプライス機構のウェブ送り出し速度を、ライン速度と同期する定常速度から急減速して停止したのちウェブを継ぎ、こののち急加速して定常速度に戻すようにしている。このウェブ継ぎのためにウェブ送り出し速度を定常速度よりも減速している間は、アキュムレート機構にアキュムレートされたウェブを消費しながらラインに供給する。
【０００３】
アキュムレート機構としては、スプライス機構から送り出されるウェブを、固定ロールと移動ロール間に複数条に巻き掛けてアキュムレートし、一対のスプロケットやプーリ等の回転体間にループ状に張り渡されたチェーンやベルト等の索条体に取り付けられ、固定ロールに向けて直線往復駆動される往復移動ユニットに移動ロールを取り付け、ウェブのアキュムレート長さを調節するものが多く採用されている。固定ロールと移動ロールは複数個ずつ設けられることが多く、複数個設けられた移動ロールは、同一の往復移動ユニットに取り付けられる。
【０００４】
従来、この種のアキュムレート機構では、図４に示すように、移動ロール５１を取り付けられた往復移動ユニット５２は、一対の回転体５３間に張り渡された索条体５４のループの中に介在するように取り付けられている（特開昭６１−１６５４５６号公報、特開平１−５７０１５号公報、、特開平３−２９７７５２号公報、特開平１０−４５２９０号公報）。
【０００５】
【発明が解決しようとする課題】
上述した従来のウェブ継ぎ装置は、移動ロールを取り付けた往復移動ユニットが、一対の回転体間に張り渡された索条体のループの中に介在するように取り付けられているので、往復移動ユニットの移動可能範囲が、一対の回転体間の内側に制約される。
【０００６】
このため、アキュムレート機構の設置スペースの割りには、ウェブのアキュムレート可能長さが短く制約されるので、ウェブ継ぎ時のウェブ速度の減速率と加速率を大きくし、さらにその停止時間を短くせざるを得なくなり、ウェブ継ぎの失敗を招く恐れがある。また、このような恐れを回避するためにライン速度を減速すれば、ラインの生産性が低下する。
【０００７】
そこで、この発明の課題は、アキュムレート機構の設置スペースを最大限に活用して、ウェブのアキュムレート可能長さを増大することである。
【０００８】
【課題を解決するための手段】
上記の課題を解決するために、この発明は、ウェブの送り出し速度を減速させ、一方の巻き出し軸のウェブに他方の巻き出し軸のウェブを継ぐスプライス機構と、スプライス機構から送り出されるウェブを、固定ロールと移動ロール間に複数条に巻き掛けてアキュムレートし、一対の回転体間にループ状に張り渡された索条体に取り付けられ、前記固定ロールに向けて直線往復駆動される往復移動ユニットに前記移動ロールを取り付け、前記ウェブのアキュムレート長さを調節するアキュムレート機構とを備え、前記ウェブをラインに供給するウェブ継ぎ装置において、前記往復移動ユニットを前記索条体のループの外側に取り付けた構成を採用した。
【０００９】
すなわち、移動ロールを取り付けた往復移動ユニットを、一対の回転体間に張り渡した索条体のループの外側に取り付けることにより、往復移動ユニットの移動可能範囲を一対の回転体間に制約されることなく拡げ、アキュムレート機構の設置スペースを最大限に活用して、ウェブのアキュムレート可能長さを増大できるようにした。
【００１０】
【発明の実施の形態】
以下、図１乃至図３に基づき、この発明の実施形態を説明する。このウェブ継ぎ装置は、図１に示すように、ミルロールスタンド１の一方の巻き出し軸２から巻き出された先行ウェブ３の後端に、他方の巻き出し軸２から次に巻き出される後続ウェブ３を継ぐスプライス機構４と、スプライス機構４から送り出されるウェブ３を、固定ロール５と移動ロール６間に複数条に巻き掛けてアキュムレートするアキュムレート機構７とを備え、アキュムレート機構７にアキュムレートされたウェブ３は、繰り出しロール８を介して後続のラインに供給されるようになっている。
【００１１】
前記スプライス機構４は、サーボモータ９で回転駆動され、アキュムレート機構７にウェブ３を送り出す駆動スプライスロール１０と、駆動スプライスロール１０に進退可能に対向配置された従動スプライスロール１１と、それぞれ左右一対で進退可能に配置されたサクションユニット１２、カッター１３およびクランプロール１４とで基本的に構成されている。
【００１２】
前記ウェブ３を継ぐ際には、駆動スプライスロール１０によるウェブ３の送り出し速度が急減速、停止されたのち、先行ウェブ３後端が両スプライスロール１０、１１および一対のクランプロール１４の双方によって上下でクランプされて、その幅方向にカッター１３で切断され、左右のサクションユニット１２に吸着係止された先行ウェブ３の切断後端と、両面接着テープを予め貼着されている後続ウェブ３の先端が、両サクションユニット１２間で押圧されて、接着により重ね継ぎされる。重ね継ぎが終了すると、両スプライスロール１０、１１および一対のクランプロール１４の双方によるクランプが解除されて、ウェブ３の送り出し速度が急加速される。
【００１３】
前記アキュムレート機構７は、４本の固定ロール５と３本の移動ロール６を有し、これらにウェブ３が６条に巻き掛けられている。３本の移動ロール６は同一の往復移動ユニット１５に取り付けられており、往復移動ユニット１５は、一対のスプロケット１６間にループ状に張り渡されたチェーン１７に取り付けられ、一方のスプロケット１６がモータ１８で回転駆動されて、往復移動ユニット１５が固定ロール５側に向けて直線往復駆動されるようになっている。
【００１４】
図１に示すように、往復移動ユニット１５がチェーン１７のループの後端に来たときに、ウェブ３のアキュムレート長さは最大となる。往復移動ユニット１５は定常状態ではこのループの後端位置にあり、後続のライン速度が一定の高速状態でウェブ継ぎが行なわれることになると、スプライス機構４からのウェブ３の送り出し速度が減速、停止されることによって、アキュムレートされたウェブ３が消費され、往復移動ユニット１５は固定ロール５側へ移動する。ウェブ継ぎが終了すると、ウェブ３の送り出し速度はライン速度と同期するまで加速されるとともに、往復移動ユニット１５は次のウェブ継ぎに備えて右方へ移動して、チェーン１７のループの後端位置まで戻る。
【００１５】
図２および図３に示すように、前記往復移動ユニット１５は、左右一対のフレーム１５ａ間に、各移動ロール６を差し渡して回転自在に支持したものであり、各フレーム１５ａに設けられたタイヤローラ１９が、固定ロール５側へ向かって延びる左右一対の案内レール２０で案内されるようになっている。
【００１６】
前記スプロケット１６とチェーン１７も左右一対に設けられ、往復移動ユニット１５の各フレーム１５ａから上方に突出する突出部１５ｂが、左右の各チェーン１７に繋ぎ込むように取り付けられている。したがって、往復移動ユニット１５は、チェーン１７のループの外側下方で往復移動し、その移動可能範囲は、チェーン１７のループの後端側のスプロケット１６の直下から、固定ロール５の手前までとなっている。
【００１７】
前述したように、従来の往復移動ユニットは、一対の回転体間に張り渡されたチェーン等の索条体のループの中に介在するように取り付けられ、後端側のスプロケット等の回転体の手前までしか移動できない。したがって、本発明に係るウェブ継ぎ装置のアキュムレート機構では、ウェブの巻き掛け条数をＮ、回転体の直径をＤとすると、従来のものに対するウェブのアキュムレート可能長さの増大量ΔＬは、ほぼＮ×Ｄに相当する長さとなる。
【００１８】
上述した実施形態では、固定ロール側のスプロケットが固定ロールよりも外側に配置されたものとしたが、固定ロール側のスプロケットが固定ロールよりも内側に配置されたアキュムレート機構の場合は、往復移動ユニットの固定ロール側への移動可能範囲も拡げることができるので、前記アキュムレート可能長さの増大量ΔＬは、ほぼＮ×Ｄの２倍に相当する長さとなる。
【００１９】
また、本発明に係るウェブ継ぎ装置のアキュムレート機構は、往復移動ユニットがチェーンやベルト等の索条体のループの外側に取り付けられたものであればよく、ウェブの巻き掛け方や条数等、その他の部分は任意に設計することができる。
【００２０】
【発明の効果】
以上のように、この発明のウェブ継ぎ装置は、アキュムレート機構における移動ロールを取り付けた往復移動ユニットを、一対の回転体間に張り渡した索条体のループの外側に取り付け、往復移動ユニットの移動可能範囲を一対の回転体間に制約されることなく拡大可能とし、アキュムレート機構の設置スペースを最大限に活用して、ウェブのアキュムレート可能長さを増大できるようにしたので、ライン速度が速いときでも、アキュムレート機構でのウェブのアキュムレート長さが不足しないようにし、ライン速度を減速させることなく、ウェブ継ぎを失敗なく確実に行なうことができる。
【図面の簡単な説明】
【図１】実施形態のウェブ継ぎ装置を示す概略正面図
【図２】図１のアキュムレート機構の要部を拡大して示す正面図
【図３】図２の切欠き側面図
【図４】従来のウェブ継ぎ装置のアキュムレート機構を示す一部省略概略正面図
【符号の説明】
１  ミルロールスタンド
２  巻き出し軸
３  ウェブ
４  スプライス機構
５  固定ロール
６  移動ロール
７  アキュムレート機構
８  繰り出しロール
９  サーボモータ
１０、１１  スプライスロール
１２  サクションユニット
１３  カッター
１４  クランプロール
１５  往復移動ユニット
１５ａ  フレーム
１５ｂ  突出部
１６  スプロケット
１７  チェーン
１８  モータ
１９  タイヤローラ
２０  案内レール
【図１】
2004175559.tif 000003
【図２】
2004175559.tif 000004
【図３】
2004175559.tif 000005
【図４】
2004175559.tif 000006